(57)【特許請求の範囲】
【請求項１】
着用者の肌面側に向けられる肌面側シートを有する吸収性物品であって、
前記肌面側シートは、前記吸収性物品の幅方向の側部で前記吸収性物品の長手方向に延び、着用者の肌面側へ起立可能な自由端部を有するカフを有し、
前記カフの少なくとも一部にスキンケア剤が設けられており、
前記カフは、前記スキンケア剤が設けられた領域において、前記カフの他の部分の密度よりも高い密度を有する高密度部を有し、
着用者の肌面とは反対側へ向けられる非肌面側シートと、前記非肌面側シートに形成され、下着の肌面側の一面に粘着される粘着領域と、をさらに有し、
前記スキンケア剤は、平面視で前記粘着領域と重複しないよう配置されている、吸収性物品。
【請求項２】
前記スキンケア剤が設けられた領域において、前記カフの非肌面側に設けられた液不透過性の物質をさらに有する、請求項１に記載の吸収性物品。
【請求項３】
前記液不透過性の物質は接着剤であり、
前記カフは、前記接着剤を介して、前記カフの非肌面側に設けられた別の部材に接着されており、
前記高密度部は、平面視で前記接着剤が設けられた接着領域に重なって配置されている、請求項２に記載の吸収性物品。
【請求項４】
前記高密度部は、少なくとも前記カフに形成されたエンボスにより形成されている、請求項１から３のいずれか１項に記載の吸収性物品。
【請求項５】
前記肌面側シートの非肌面側に設けられた吸収体をさらに有し、
前記肌面側シートは、前記吸収体を覆う表面シートと、平面視で前記表面シートと少なくとも部分的に重複し、少なくとも前記カフを形成するサイドシートと、を含み、
少なくとも前記サイドシートと前記表面シートとの境界位置において、前記サイドシートの密度は前記表面シートの密度よりも大きい、請求項１から４のいずれか１項に記載の吸収性物品。
【請求項６】
前記吸収性物品の長手方向の端部に形成された圧搾部をさらに有し、
前記スキンケア剤の少なくとも一部は、前記高密度部が形成された領域と前記圧搾部が形成された領域との重複領域に設けられている、請求項１から５のいずれか１項に記載の吸収性物品。
【請求項７】
前記スキンケア剤は疎水性の材料からなる、請求項１から６のいずれか１項に記載の吸収性物品。
【発明の詳細な説明】
【技術分野】
【０００１】
本発明は、パンティライナー、失禁パッド及び生理用ナプキンのような吸収性物品に関する。
【背景技術】
【０００２】
パンティライナー、失禁パッド及び生理用ナプキンのような吸収性物品が知られている。特許文献１は、液透過性の表面シートと、液不透過性の裏面シートと、表面シートと裏面シートとの間に配置される吸収体と、を有する吸収性物品を開示している。表面シートの肌当接面側で、かつ、吸収性物品の長手方向に沿った両側縁部に、リン酸エステル型ビタミンＣが塗布されている。また、特許文献１は、吸収性物品の長手方向に沿った両側縁部に設けられた防漏壁を開示している。  
【０００３】
特許文献２は、不織布からなる表面シートと、裏面シートと、表面シートと裏面シートの間に配置された吸収体と、を有する吸収性物品を開示している。特許文献２に記載の吸収性物品では、表面シートは、着用者の肌側に向かって突出する多数の突出部を有している。これらの突出部は、吸収体側に開放された内部空間を有している。突出部の頂部における肌対向面及び非肌対向面の両面にスキンケア剤が付着している。単位面積当たりのスキンケア剤の量は、表面シートの非肌対向面よりも肌対向面の方が多い。
【先行技術文献】
【特許文献】
【０００４】
【特許文献１】特開２０１２−１０９６８号公報
【特許文献２】特開２０１２−１４３５４３号公報
【発明の概要】
【発明が解決しようとする課題】
【０００５】
本願の発明者は、以下のような課題を発見した。特許文献１に記載の吸収性物品では、吸収性物品に塗布されたリン酸エステル型ビタミンＣの濃度は時間経過とともに低下し、リン酸エステル型ビタミンＣの効果が時間とともに低下するおそれがある。
【０００６】
特許文献２では、表面シートの肌対向面におけるスキンケア剤の量を表面シートの非肌対向面におけるスキンケア剤の量より多くすることが記載されている。しかしながら、特許文献２では、長時間スキンケア剤を維持することについては検討されておらず、さらには、平面視で吸収性物品のどの位置にスキンケア剤を保持すべきかについて考慮されていない。
本発明は、上述の課題に鑑みてなされたものであり、効果的な位置でスキンケア効果が長時間維持される吸収性物品を提供することを目的とする。
【課題を解決するための手段】
【０００７】
本開示に係る吸収性物品は、着用者の肌面側に向けられる肌面側シートを有する。肌面側シートは、吸収性物品の幅方向の側部で吸収性物品の長手方向に延び、着用者の肌面側へ起立可能な自由端部を有するカフを有する。カフの少なくとも一部にスキンケア剤が設けられている。カフは、スキンケア剤が設けられた領域において、カフの他の部分の密度よりも高い密度を有する高密度部を有する。
【発明の効果】
【０００８】
本発明によれば、効果的な位置でスキンケア効果が長時間維持される吸収性物品を提供することができる。
【図面の簡単な説明】
【０００９】
【図１】図１は、一実施形態に係る吸収性物品の肌面側から見た平面図である。
【図２】図２は、一実施形態に係る吸収性物品の非肌面側から見た平面図である。
【図３】図３は、図１の３Ａ−３Ａ線に沿った吸収性物品の一部の断面図である。
【図４】図４は、吸収性物品の折り位置を示す模式図である。
【発明を実施するための形態】
【００１０】
以下、図面を参照して、実施形態に係る吸収性物品ついて説明する。本発明の吸収性物品は、パンティーライナー（おりものシート）や生理用ナプキンや失禁パッド等の任意の吸収性物品であってもよい。以下の実施形態では、吸収性物品の一例として使い捨ての生理用ナプキンについて説明する。
【００１１】
なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００１２】
（１）吸収性物品の構成
図１は、一実施形態に係る吸収性物品の肌面側から見た平面図である。図２は、一実施形態に係る吸収性物品の非肌面側から見た平面図である。図３は、図１の３Ａ−３Ａ線に沿った吸収性物品の断面図である。吸収性物品１は、着用者の前側と後側との間を延びる長手方向Ｌと、長手方向Ｌに直交する幅方向Ｗと、を有する。吸収性物品１は、着用者の排泄口が対向する領域を含む股下領域の幅方向Ｗの両外側に位置するウイング部４８を有していてもよい。
【００１３】
吸収性物品１は、着用者の肌面側に向けられる肌面側シート１０，４１と、着用者の肌面とは反対側へ向けられる非肌面側シート２０と、肌面側シート１０，４１の非肌面側に設けられた吸収体３０と、を有する。
【００１４】
吸収体３０は、吸収コア（図示せず）と、当該吸収コアを包む被覆シート（図示せず）と、を有していてもよい。吸収コアは、例えば、親水性繊維もしくは高分子吸水ポリマー、又はこれらの組み合わせから形成されていてもよい。被覆シートは、例えば不織布やティッシュ等から形成されていてもよい。
【００１５】
非肌面側シートは、体液等の液体を透過しない不透液性の裏面シート２０を含んでいてもよい。裏面シート２０は、少なくとも吸収体３０の非肌対向面側を覆う。裏面シート２０は、例えば、非通気性や通気性のフィルムや不織布等から形成されていてもよい。
【００１６】
肌面側シートは、少なくとも吸収体３０の肌対向面を覆う表面シート１０と、表面シート１０の側部を覆い、かつ表面シート１０の側部から吸収性物品１の幅方向Ｗの外側に延出するサイドシート４１と、を有していてもよい。表面シート１０は、体液等の液体を透過する液透過性のシート、例えば不織布から形成されていてもよい。なお、表面シート１０及び吸収体３０には、エンボス加工によって厚み方向に圧搾された圧搾部７０，７２が形成されていてもよい。
【００１７】
サイドシート４１は、例えば不織布から形成されていてもよい。サイドシート４１は、平面視で表面シート１０と少なくとも部分的に重複し、かつ吸収体３０及び表面シート１０よりも幅方向Ｗの外側に延出していてもよい。
【００１８】
サイドシート４１の一部は、吸収性物品１の幅方向Ｗの側部で吸収性物品の長手方向Ｌに延びるカフ４０を形成している。カフ４０は、着用者の肌面側へ起立可能な自由端部４２と、自由端部４２に隣接し、起立しない固定部４５と、を有する。本実施形態では、カフ４０は、サイドシート４１の幅方向Ｗの内縁部により形成されている。具体的には、サイドシート４１の幅方向Ｗの内縁側の先端が起立可能な自由端部４２となっている。この自由端部４２に隣接した起立しない部分が固定部４５を形成している。固定部４５は、接着剤４４、例えばホットメルト接着剤を介して、サイドシート４１よりも非肌面側に位置する部材に接着されていてもよい。図３に示す例では、カフ４０の固定部４５は、接着剤４４を介して表面シート１０に接着されている。好ましくは、少なくともサイドシート４１と表面シート１０との境界位置において、サイドシート４１の密度は表面シート１０の密度よりも大きい。
【００１９】
図３に示す例では、カフ４０の固定部４５は接着剤４４を介して表面シート１０に接着されているが、この代わりに、カフ４０の固定部４５は接着剤４４を介して吸収体３０に接着されていてもよい。
【００２０】
また、サイドシート４１の自由端部４２は、複数層に折り返されていてもよい。この場合、サイドシート４１の自由端部４２に、吸収性物品１の長手方向Ｌに延びる弾性部材が設けられていてもよい。
【００２１】
カフ４０の少なくとも一部にはスキンケア剤６０が設けられている。スキンケア剤６０が設けられた領域（図１の長手方向Ｌに沿って延びる２本の点線の間の領域）は、吸収性物品１の長手方向Ｌに沿って延びていてもよい。なお、スキンケア剤６０は吸収性物品１の肌面側に設けられているが、図２では便宜上スキンケア剤６０が設けられている領域を図示した。
【００２２】
本実施形態では、スキンケア剤６０が設けられた領域は、吸収性物品１の長手方向Ｌの一端から他端まで延びている。これに代えて、スキンケア剤６０が設けられた領域は、吸収性物品１の長手方向Ｌに部分的に延びていてもよい。
【００２３】
カフ４０は、スキンケア剤６０が設けられた領域において、カフ４０の他の部分の密度よりも高い密度を有する高密度部４３を有する。高密度部４３は、吸収性物品１の長手方向Ｌに沿って、互いに間隔をあけて複数形成されていてもよい。高密度部４３は、少なくともカフ４０に形成されたエンボスにより形成されていてもよい。しかしながら、高密度部４３は、エンボスに限定されず、毛管現象により液体を保持することが可能あれば、どのように形成された部分であってもよい。好ましくは、高密度部４３は、カフ４０の固定部４５に形成されている。
【００２４】
高密度部４３の密度は、０．１〜１．０ｇ／ｃｍ３の範囲であってもよい。また、高密度部４３の周りのカフ４０の密度は、０．０２〜０．９ｇ／ｃｍ３の範囲であってもよい。高密度部４３の周りのカフ４０の密度と高密度部４３の密度との差は、０．０２ｇ／ｃｍ３以上であることが好ましい。また、高密度部４３の面積は、スキンケア剤が塗布された領域の面積の５〜５０％であることが好ましく、１０〜４０％であることがより好ましい。
【００２５】
好ましくは、スキンケア剤６０が設けられた領域において、カフ４０の非肌面側に液不透過性の物質が設けられている。この液不透過性の物質は、スキンケア剤６０の非肌面側への移動を抑制できる材料であれば、どのような材料から形成されていてもよい。本実施形態では、液不透過性の物質は、上述した接着剤４４、例えばホットメルト接着剤からなる。好ましくは、カフの高密度部４３は、平面視で接着剤４４が設けられた接着領域に重なって配置される。カフ４０と表面シート１０は、接着剤４４及び高密度部４３としてのエンボスを介して互いに強固に接合されていてもよい。なお、接着の必要性がなければ、液不透過性の物質は、接着剤に限られない。
【００２６】
吸収性物品１は、長手方向Ｌの端部に形成された圧搾部８０を有していてもよい。圧搾部８０は、エンボス加工によって形成される。この圧搾部８０が形成された領域の一部は、カフ４０の高密度部４３が形成された領域の一部と重複している。この場合、スキンケア剤６０の少なくとも一部は、カフ４０の高密度部４３が形成された領域と、圧搾部８０が形成された領域との重複領域９０に設けられていることが好ましい。  
【００２７】
裏面シート２０には、下着の肌面側の一面に粘着される粘着領域５１，５２が形成されていてもよい。粘着領域は、吸収体３０が配置された領域における非肌対向面に設けられた本体粘着領域５１と、ウイング部４８の非肌対向面に設けられたウイング粘着領域５２と、を有する。
【００２８】
本実施形態では、３つの本体粘着領域５１が設けられており、各本体粘着領域５１は、長手方向Ｌに延びている。これに限らず、本体粘着領域５１は、任意の形状及び数を有していてもよい。ウイング粘着領域５２は、ウイング部４８の非肌面側に設けられている。
【００２９】
粘着領域５１，５２は、例えば、合成ゴム系やオレフィン系等のホットメルト粘着材等から形成することができる。なお、吸収性物品１の使用前の状態では、粘着領域５１，５２は、図示しない剥離シート又は吸収性物品１を包装する包装シートに接している。剥離シート又は包装シートは、使用前に粘着剤が劣化することを防止している。そして、剥離シート又は包装シートは、使用時に着用者によって剥離される。
【００３０】
好ましくは、スキンケア剤６０は、平面視で粘着領域５１，５２と重複しないよう配置されている。より好ましくは、スキンケア剤６０は、吸収性物品１の幅方向Ｗに関して本体粘着領域５１の最も外側よりも更に外側に位置している。
【００３１】
図４は、吸収性物品１を折り畳むときの折り線Ｆ１〜Ｆ４と、スキンケア剤６０が塗布された領域との位置関係を示している。図４は、吸収性物品１の肌面側から見た平面を示しており、便宜上、圧搾部７０，７２は図示されていない。
【００３２】
吸収性物品１は、一般に、包装袋に収容される際に折り畳まれる。吸収性物品１は、ウイング部４８を折るためのウイング折り線Ｆ３，Ｆ４を有する。ウイング折り線Ｆ３，Ｆ４は、吸収性物品１が展開されている状態で、スキンケア剤６０が塗布された領域よりも、吸収性物品１の幅方向Ｗの外側に位置していてもよい。ウイング部４８は、ウイング折り線Ｆ３，Ｆ４を起点に、肌面側シート側へ折られる。これにより、スキンケア剤６０が設けられた領域の一部が、ウイング部４８によって覆われた状態となる（図４参照）。
【００３３】
さらに、吸収性物品１は、幅方向Ｗに沿った折り線Ｆ１，Ｆ２で３つ折りにされる。この折り線Ｆ１，Ｆ２は、吸収性物品１の幅方向Ｗの側部で、スキンケア剤６０が設けられた領域と交差する。
【００３４】
スキンケア剤６０は、ビタミンＥを含む剤やビタミンＥ誘導体であってもよい。スキンケア剤６０は、この例に限定されず、スキンケアを目的とした任意の剤を含んでいてもよい。好ましくは、スキンケア剤６０は疎水性の材料からなる。
【００３５】
（２）吸収性物品の製造方法
次に、上記実施形態に係る吸収性物品の製造方法の一例について説明する。吸収性物品１は、複数の吸収性物品１が長手方向Ｌに連続的に繋がった連続体を形成し、その後、連続体を各々の吸収性物品１に切り分けることによって製造される。
【００３６】
まず、表面シート１０、サイドシート４１及び裏面シート２０のそれぞれを構成するウェブを原反から引き出しつつ、表面シート１０と裏面シート２０との間に吸収体３０を配置する。吸収体３０は、ウェブの搬送方向に互いに間隔をあけて複数配置される。さらに、表面シート１０、サイドシート４１及び裏面シート２０のそれぞれを構成するウェブを互いに接合することによって、複数の吸収性物品１が長手方向Ｌに連続的に繋がった連続体が形成される。なお、吸収性物品１は、吸収性物品１の長手方向Ｌが連続体の搬送方向に沿うように形成されることが好ましい。
【００３７】
表面シート１０を構成するウェブとサイドシート４１を構成するウェブとは、例えば接着剤４４によって接合されることが好ましい。サイドシート４１の、吸収性物品の幅方向Ｗの内縁部に相当する部分に、着用者の肌面側へ起立可能な自由端部４２を有するカフ４０が形成される。接着剤４４は、吸収性物品１の長手方向Ｌに沿って、カフ４０の固定部４５に形成されてもよい。表面シート１０とサイドシート４１とを互いに接着する際に、カフ４０の固定部４５にエンボス加工を施すことにより、カフ４０に高密度部４３を形成することができる。
【００３８】
必要に応じて、エンボス加工により、連続体に圧搾部７０，７２を形成してもよい。圧搾部７０，７２は、少なくとも表面シート１０を構成するウェブ及び吸収体３０を厚み方向に圧縮することによって形成される。
【００３９】
また、吸収性物品１の長手方向Ｌの端部に相当する位置に圧搾部８０を形成する。この圧搾部８０は、表面シート１０、サイドシート４１及び裏面シート２０を構成するウェブを厚み方向に圧搾することによって形成される。
【００４０】
次に、連続体を切断することによって、連続体を各々の吸収性物品１に切り分ける。このとき、吸収性物品１の形状に合わせて連続体が切断される。
【００４１】
次に、吸収性物品１のカフ４０の少なくとも一部にスキンケア剤を塗布する。スキンケア剤６０は、切断された吸収性物品１を搬送しつつ、吸収性物品１に塗布することができる。スキンケア剤６０の塗布は、例えばスプレーを用いて実施することができるが、これに限定されるものではない。吸収性物品１を搬送する搬送手段に対して塗布手段の位置を固定した状態で、吸収性物品１の長手方向Ｌに沿って吸収性物品１を搬送しつつ、塗布手段により吸収性物品１のカフ４０にスキンケア剤６０を塗布してもよい。これにより、スキンケア剤６０を、吸収性物品１の長手方向Ｌに沿って形成することができる。
【００４２】
なお、スキンケア剤６０の塗布は、連続体を各々の吸収性物品１に切り分ける前に実施してもよい。この場合であっても、連続体を搬送しつつ吸収性物品１のカフ４０に相当する位置にスキンケア剤６０を塗布することで、吸収性物品１の長手方向Ｌに沿ってスキンケア剤６０を形成することができる。
【００４３】
（３）作用効果
上記実施形態に係る吸収性物品１では、カフ４０は、着用者の肌面側へ起立可能な自由端部４２を有するため、着用者の肌に擦れ易い。特に、カフ４０は、吸収性物品１の幅方向Ｗの側部に位置するため、着用者の鼠径部に接触する。そのため、カフ４０は、着用者の歩行にともなって鼠径部と擦れ易く、特に着用者の肌に刺激を与え易い。本実施形態では、毛管現象によって、カフ４０の高密度部４３にスキンケア剤６０が集中する。これにより、カフ４０の高密度部４３にスキンケア剤６０を長時間保持することができる。その結果、着用者の肌に刺激を与え易い位置、すなわちカフ４０において、スキンケア効果を長時間維持することができる。
【００４４】
一実施形態によれば、吸収性物品１は、スキンケア剤６０が設けられた領域において、カフ４０の非肌面側に設けられた液不透過性の物質４４を有する。液不透過性の物質４４によって、カフ４０に設けられたスキンケア剤６０が、カフ４０よりも非肌面側に設けられた物質、例えば表面シート１０などに浸透することが抑制される。これにより、スキンケア剤６０がカフ４０に長時間保持されるため、スキンケア効果が長時間維持される。  
【００４５】
一実施形態によれば、液不透過性の物質４４は接着剤である。また、カフは、接着剤を介してカフ４０の非肌面側に設けられた別の部材に接着されている。さらに、高密度部４３は、平面視で接着剤が設けられた接着領域に重なって配置されている。接着剤は、高密度部４３から上記別の部材、例えば表面シート１０や吸収体３０へのスキンケア剤６０の移動を防止することができる。これにより、スキンケア剤６０を高密度部４３へ長時間保持することができ、スキンケア効果を長時間維持することができる。
【００４６】
一実施形態によれば、高密度部４３は、少なくともカフ４０に形成されたエンボスにより形成されている。エンボスが形成された部分の密度は、そのまわりの部分の密度より高くなるため、毛管現象によりエンボスが形成された部分にスキンケア剤６０を保持することができる。これにより、カフ４０に形成されたエンボスにスキンケア剤６０が長時間保持され、スキンケア効果が長時間維持される。
【００４７】
また、エンボスが、カフ４０を別の部材に接着する接着領域に形成されている場合には、肌と擦れ易いカフを、エンボスと接着剤によって表面シート１０や吸収体３０などの別の部材に強固に固定することができる。
【００４８】
一実施形態によれば、吸収性物品１は、着用者の肌面とは反対側へ向けられる非肌面側シート２０と、非肌面側シート２０に形成され、下着の肌面側の一面に粘着される粘着領域５１，５２と、を有する。また、スキンケア剤６０は、平面視で粘着領域５１，５２と重複しないよう配置されている。非肌面側シート２０は、着用者の下着に接触する。非肌面側シート２０に形成された粘着領域５１，５２は、下着に密着し、吸収性物品のずれを防止する。したがって、吸収性物品１は粘着領域５１，５２では下着に密着し易い。一方、平面視で粘着領域５１，５２と重複しない吸収性物品１の部分は、下着に密着されず、着用者の歩行とともに下着に関して動き易いため、着用者の肌と擦れ易い。このように肌と擦れ易い部分にスキンケア剤６０が塗布されていることによって、着用者に対し、適切にスキンケア効果を与えることができる。
【００４９】
一実施形態によれば、吸収性物品１は、肌面側シートの非肌面側に設けられた吸収体３０を有する。肌面側シートは、吸収体３０を覆う表面シート１０と、平面視で表面シート１０と少なくとも部分的に重複し、少なくともカフ４０を形成するサイドシート４１と、を含む。さらに、少なくともサイドシート４１と表面シート１０との境界位置において、サイドシート４１の密度は表面シート１０の密度よりも大きい。サイドシート４１のカフ４０に設けられたスキンケア剤６０の一部は、サイドシート４１に隣接する表面シート１０の方へ向かって拡散することがある。しかしながら、少なくともサイドシート４１と表面シート１０との境界位置において、サイドシート４１の密度が表面シート１０の密度よりも大きいため、スキンケア剤６０はサイドシート４１から表面シート１０へ移動し難い。これにより、スキンケア剤６０の拡散を抑制し、スキンケア剤６０をサイドシート４１の領域に保持することができる。
【００５０】
一実施形態によれば、吸収性物品１は、吸収性物品の長手方向Ｌの端部に形成された圧搾部８０を有する。また、スキンケア剤６０の少なくとも一部は、高密度部４３が形成された領域と圧搾部８０が形成された領域との重複領域９０に設けられている。着用者の肌面側へ起立可能な自由端部４２を有するカフ４０の、吸収性物品の長手方向Ｌの端部は、最も着用者の肌に擦れやすい部分であり、着用者の肌への刺激が高くなる部分である。このような部分に、高密度部４３が形成された領域と圧搾部８０が形成された領域との重複領域９０が配置されている。重複領域９０は、高密度部４３と圧搾部８０とによって更に密度が高い部分を有するため、スキンケア剤６０をより保持し易い。これにより、着用者の肌への刺激が高くなる部分で適切にスキンケア効果を維持することができる。  
【００５１】
一実施形態によれば、スキンケア剤６０は疎水性の材料からなる。着用者によっては、肌を水で洗浄した後に、肌が濡れた状態又は湿った状態で吸収性物品１を着用することがある。スキンケア剤６０が親水性の材料からなる場合、肌が濡れた状態又は湿った状態で吸収性物品１を着用すると、スキンケア剤６０が流れ落ちてしまうことがある。本実施形態では、スキンケア剤６０が疎水性の材料からなるため、肌が濡れた状態又は湿った状態であったとしても、スキンケア剤６０が吸収性物品１に維持される。よって、スキンケア効果を長時間維持することができる。
【００５２】
上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５３】
１      吸収性物品
１０    表面シート（肌面側シート）
２０    裏面シート（非肌面側シート）
３０    吸収体
４０    カフ
４１    サイドシート（肌面側シート）
４２    自由端部
４３    エンボス（高密度部）
４４    接着剤（液不透過性の物質）
４５    固定部
４８    ウイング部
５１    中央粘着領域
５２    ウイング粘着領域
６０    スキンケア剤
８０    圧搾部
９０    重複領域
Ｌ      長手方向
Ｗ      幅方向
【図１】
0006377523.tif 000002
【図２】
0006377523.tif 000003
【図３】
0006377523.tif 000004
【図４】
0006377523.tif 000005